(57)【特許請求の範囲】
【請求項１】
打球面と、該打球面とは反対側の後面とを含むアイアンタイプゴルフクラブヘッドボディ、および
該ゴルフクラブヘッドボディの重心の位置を指示する点に集まる複数の脚部を有する、クラブヘッドボディの後側の多脚ブリッジ部材
を含む、ゴルフクラブヘッドであって、
打球面から後方に、ゴルフクラブヘッドボディの周辺区域の少なくとも一部分に沿って延びる周囲ウェイト付け部材をさらに含み、
該多脚ブリッジ部材が該周囲ウェイト付け部材に取り付けられ、かつ
該多脚ブリッジ部材が、ゴルフクラブヘッドボディのフェースから離れるように周囲ウェイト付け部材から延び、かつ該ゴルフクラブヘッドボディの該フェースの後面に接しない、
前記ゴルフクラブヘッド。
【請求項２】
多脚ブリッジ部材が周囲ウェイト付け部材の一部として形成されている、請求項1記載のゴルフクラブヘッド。
【請求項３】
多脚ブリッジ部材が、ゴルフクラブヘッドボディの後方部分中のキャビティを横切って延びる、請求項2記載のゴルフクラブヘッド。
【請求項４】
多脚ブリッジ部材が、
周囲ウェイト付け部材から、互いに集まる点まで延びる複数の脚部
を有する、請求項2記載のゴルフクラブヘッド。
【請求項５】
ゴルフクラブヘッドボディがソール部分を含み、かつ
該ソール部分が地面と接する場合に、多脚ブリッジ部材の脚部が集まる点が、該クラブヘッドボディの重心の位置のすぐ上に配置される、請求項4記載のゴルフクラブヘッド。
【請求項６】
ゴルフクラブヘッドボディがソール部分を含み、かつ
該ソール部分が地面と接する場合に、多脚ブリッジ部材の頂点が、該クラブヘッドボディの重心の位置のすぐ上に配置される、請求項4記載のゴルフクラブヘッド。
【請求項７】
ゴルフクラブヘッドボディが、クラウン部分、ソール部分、トウおよびヒールを含み、ならびに
多脚ブリッジ部材が、該クラウン部分から該ソール部分まで延び、かつ該ヒールから該トウまで延びている、請求項2記載のゴルフクラブヘッド。
【請求項８】
多脚ブリッジ部材が、
クラブヘッドボディの周辺から該クラブヘッドボディの中心に向かって延びる複数の脚部
を含む、請求項2記載のゴルフクラブヘッド。
【請求項９】
多脚ブリッジ部材の少なくとも一部分が、周囲ウェイト付け部材の少なくとも一部分の密度よりも高い密度を有する、請求項2記載のゴルフクラブヘッド。
【請求項１０】
多脚ブリッジ部材の脚部が、周囲ウェイト付け部材から該脚部が集まる点まで直線状に延びている、請求項4記載のゴルフクラブヘッド。
【請求項１１】
多脚ブリッジ部材の脚部が、周囲ウェイト付け部材から該脚部が集まる点まで延び、
さらに、該多脚ブリッジ部材の該脚部の少なくとも一つがカーブして、該周囲ウェイト付け部材から該脚部が集まる点まで直線状には延びない、請求項4記載のゴルフクラブヘッド。
【請求項１２】
ゴルフクラブヘッドボディを有する少なくとも二本のアイアンタイプゴルフクラブを含むアイアンタイプゴルフクラブのセットであって、
各ゴルフクラブヘッドボディが、異なる重心を有し、かつ該クラブヘッドボディの後側に多脚ブリッジ部材を含み、
各多脚ブリッジ部材が、ゴルフクラブヘッドボディそれぞれの特定の重心を指示する点に集まる複数の脚部を有し、
各クラブヘッドボディが、ゴルフクラブヘッドボディそれぞれのヒールおよびトウに対して異なる位置に配置された該点を有し、
該各ゴルフクラブヘッドボディが、打球面から後方に、ゴルフクラブヘッドボディの周辺区域の少なくとも一部分に沿って延びる周囲ウェイト付け部材をさらに含み、
該多脚ブリッジ部材が該周囲ウェイト付け部材に取り付けられ、かつ
該多脚ブリッジ部材が、ゴルフクラブヘッドボディのフェースから離れるように周囲ウェイト付け部材から延び、かつ該ゴルフクラブヘッドボディの該フェースの後面に接しない、前記アイアンタイプゴルフクラブのセット。
【請求項１３】
クラブヘッドボディが、ホーゼルを含み、ならびに
クラブヘッドボディのセットの中で比較的低いロフト度を有するクラブヘッドボディが、トウよりもホーゼルに近い重心を有する、請求項12記載のアイアンタイプゴルフクラブのセット。
【請求項１４】
クラブヘッドボディのセットの中で比較的高いロフト度を有するクラブヘッドボディが、ヒールよりもトウに近い重心を有する、請求項13記載のアイアンタイプゴルフクラブのセット。
【請求項１５】
クラブヘッドボディのセットの中で比較的低いロフト度を有するクラブヘッドボディが、ヒールの下寄り部分に重心を有する、請求項14記載のアイアンタイプゴルフクラブのセット。
【請求項１６】
クラブヘッドボディのセットの中で比較的高いロフト度を有するクラブヘッドボディが、トウの上寄り部分に重心を有する、請求項15記載のアイアンタイプゴルフクラブのセット。
【請求項１７】
多脚ブリッジ部材の形状がゴルフクラブのセット全体にわたって連続的に変化する、請求項12記載のアイアンタイプゴルフクラブのセット。
【請求項１８】
多脚ブリッジ部材の形状が連続的に変化して、クラブヘッドボディのセットの中で比較的低いロフト度を有するアイアンの場合のヒールの下寄り部分により近い位置から、該クラブヘッドボディのセットの中で比較的高いロフト度を有するアイアンの場合のトウの上寄り部分により近い位置まで重心を移動させる、請求項17記載のアイアンタイプゴルフクラブのセット。
【請求項１９】
各多脚ブリッジ部材が、多脚ブリッジ部材の脚部が集まる点を含み、
該点がクラブヘッドボディの重心の位置を指示する、請求項18記載のアイアンタイプゴルフクラブのセット。
【請求項２０】
クラブヘッドボディのセットの中で比較的低いロフト度を有するアイアンの場合のヒールの下寄り部分により近い位置から、該クラブヘッドボディのセットの中で比較的高いロフト度を有するアイアンの場合のトウの上寄り部分により近い位置まで、前記の点が該ゴルフクラブのセット全体にわたって連続的に移動する、請求項19記載のアイアンタイプゴルフクラブのセット。
【請求項２１】
少なくとも第一のゴルフクラブヘッドボディが、多脚ブリッジ部材と各ゴルフクラブヘッドとの間に第一の数の接点を有し、かつ
少なくとも第二のゴルフクラブヘッドボディが、多脚ブリッジ部材と各ゴルフクラブヘッドとの間に第二の数の接点を有し、
該第一の数と該第二の数とが異なる、請求項12記載のアイアンタイプゴルフクラブのセット。
【請求項２２】
クラブヘッドボディのセットの中で比較的低いロフト度を有するアイアンが、該クラブヘッドボディのセットの中で比較的高いロフト度を有するアイアンよりも少ない数の接点を多脚ブリッジ部材と各ゴルフクラブヘッドとの間に有する、請求項12記載のアイアンタイプゴルフクラブのセット。
【請求項２３】
クラブヘッドボディのセットの中で比較的低いロフト度を有するアイアンが、多脚ブリッジ部材と各ゴルフクラブヘッドとの間に五つまたはそれ未満の接点を有し、かつ
該クラブヘッドボディのセットの中で比較的高いロフト度を有するアイアンが、多脚ブリッジ部材と各ゴルフクラブヘッドとの間に六つまたはそれを超える接点を有する、請求項22記載のアイアンタイプゴルフクラブのセット。
【請求項２４】
アイアンタイプゴルフクラブのセット中の複数のクラブヘッドボディのそれぞれの重心を選択的に配置する方法であって、
少なくとも二つのゴルフクラブヘッドボディを提供する工程、
点に集まる複数の脚部を有し、かつ異なる形状、異なる重量、異なる密度、および異なる重量配分の少なくとも一つを有する、クラブヘッドボディの後側の多脚ブリッジ部材のそれぞれを、該少なくとも二つのゴルフクラブヘッドボディのそれぞれのために提供する工程であって、該少なくとも二つのゴルフクラブヘッドボディのそれぞれが、打球面から後方に、ゴルフクラブヘッドボディの周辺区域の少なくとも一部分に沿って延びる周囲ウェイト付け部材をさらに含み、該多脚ブリッジ部材が該周囲ウェイト付け部材に取り付けられ、かつ該多脚ブリッジ部材が、ゴルフクラブヘッドボディのフェースから離れるように周囲ウェイト付け部材から延び、かつ該ゴルフクラブヘッドボディの該フェースの後面に接しない、前記提供する工程、
各クラブヘッドボディが異なる重心を有するように、かつ特定のゴルフクラブヘッドの多脚ブリッジ部材が各重心の位置を指示するように、各多脚ブリッジ部材を各クラブヘッドボディに取り付ける工程であって、該ゴルフクラブヘッドボディのそれぞれが、各ゴルフクラブヘッドボディのヒールおよびトウに対して異なる位置に配置された該点を有する、前記取り付ける工程
を含む、方法。
【請求項２５】
多脚ブリッジ部材の少なくとも一部分が、周囲ウェイト付け部材の少なくとも一部分の密度よりも高い密度を有する、請求項24記載の、アイアンタイプゴルフクラブのセット中の複数のクラブヘッドボディのそれぞれの重心を選択的に配置する方法。
【請求項２６】
多脚ブリッジ部材をクラブヘッドボディに選択的に取り付けて、クラブヘッドボディのセットの中で比較的低いロフト度を有する該クラブヘッドボディに対し、該クラブヘッドボディのトウよりも該クラブヘッドボディのホーゼルに近い重心を提供する工程をさらに含む、請求項24記載の、アイアンタイプゴルフクラブのセット中の複数のクラブヘッドボディのそれぞれの重心を選択的に配置する方法。
【請求項２７】
多脚ブリッジ部材をクラブヘッドボディに選択的に取り付けて、クラブヘッドボディのセットの中で比較的高いロフト度を有する該クラブヘッドボディに対し、該クラブヘッドボディのヒールよりも該クラブヘッドボディのトウに近い重心を提供する工程をさらに含む、請求項24記載の、アイアンタイプゴルフクラブのセット中の複数のクラブヘッドボディのそれぞれの重心を選択的に配置する方法。
【請求項２８】
多脚ブリッジ部材をクラブヘッドボディに選択的に取り付けて、クラブヘッドボディのセットの中で比較的低いロフト度を有するアイアンの場合の下寄りヒールに近い位置から、該クラブヘッドボディのセットの中で比較的高いロフト度を有するアイアンの場合の上寄りトウに近い位置まで、ゴルフクラブヘッドボディの重心を、ゴルフクラブのセット全体にわたって連続的に移動させる工程をさらに含む、請求項24記載の、アイアンタイプゴルフクラブのセット中の複数のクラブヘッドボディのそれぞれの重心を選択的に配置する方法。
【請求項２９】
多脚ブリッジ部材の少なくとも一つを取り外す工程、および
それを、取り替えようとしている該多脚ブリッジ部材とは異なるウェイト付け特性を有する異なる多脚ブリッジ部材と取り替える工程
をさらに含み、
少なくとも一つの多脚ブリッジ部材の取り替えがゴルファーのスイングの少なくとも一つの特性の分析に基づく、請求項24記載の、アイアンタイプゴルフクラブのセット中の複数のクラブヘッドボディのそれぞれの重心を選択的に配置する方法。
【請求項３０】
打球面と、該打球面とは反対側の後面と、該打球面から後方に、ゴルフクラブヘッドボディの周辺区域の少なくとも一部分に沿って延びる周囲ウェイト付け部材とを含むアイアンタイプゴルフクラブヘッドボディ、
該ゴルフクラブヘッドボディの後側に取り外し可能に取り付け可能であり、点に集まる複数の脚部を有し、かつ該ゴルフクラブヘッドボディに取り付けられると、該ゴルフクラブヘッドボディの重量を配分し直して、該ゴルフクラブヘッドボディの重心を第一の位置に提供し、かつ該ゴルフクラブヘッドボディの重心の該第一の位置を指示する、第一の交換可能な多脚ブリッジ部材であって、該多脚ブリッジ部材が該周囲ウェイト付け部材に取り付けられ、かつ該多脚ブリッジ部材が、ゴルフクラブヘッドボディのフェースから離れるように周囲ウェイト付け部材から延び、かつ該ゴルフクラブヘッドボディの該フェースの後面に接しない、前記第一の交換可能な多脚ブリッジ部材、ならびに
該ゴルフクラブヘッドボディの後側に取り外し可能に取り付け可能であり、点に集まる複数の脚部を有し、かつ該ゴルフクラブヘッドボディに取り付けられると、該ゴルフクラブヘッドボディの重量を配分し直して、該ゴルフクラブヘッドボディの重心を第二の位置に提供し、かつ該ゴルフクラブヘッドボディの重心の該第二の位置を指示する、第二の交換可能な多脚ブリッジ部材であって、該多脚ブリッジ部材が該周囲ウェイト付け部材に取り付けられ、かつ該多脚ブリッジ部材が、ゴルフクラブヘッドボディのフェースから離れるように周囲ウェイト付け部材から延び、かつ該ゴルフクラブヘッドボディの該フェースの後面に接しない、前記第二の交換可能な多脚ブリッジ部材
を含み、
該第一および第二の交換可能な多脚ブリッジ部材が互いに、異なる形状、異なる配置または異なるウェイト付け特性を有し、
該多脚ブリッジ部材は、ゴルフクラブヘッドに取り付けられたとき、ゴルフクラブヘッドのヒールおよびトウに対して異なる位置に配置された該点を有する、ゴルフクラブヘッド。
【請求項３１】
ゴルフクラブヘッドをフィッティングする方法であって、
打球面と、該打球面とは反対側の後面と、該打球面から後方に、ゴルフクラブヘッドボディの周辺区域の少なくとも一部分に沿って延びる周囲ウェイト付け部材と、該ゴルフクラブヘッドボディの後側に取り外し可能に取り付け可能であり、点に集まる複数の脚部を有し、かつ該ゴルフクラブヘッドボディに取り付けられると、該ゴルフクラブヘッドボディの重量を配分し直して、該ゴルフクラブヘッドボディの重心を第一の位置に提供し、かつ該ゴルフクラブヘッドボディの重心の該第一の位置を指示する第一の交換可能な多脚ブリッジ部材とを含む、アイアンタイプゴルフクラブヘッドボディを提供する工程、
該ゴルフクラブヘッドボディの後側に取り外し可能に取り付け可能であり、点に集まる複数の脚部を有し、かつ該ゴルフクラブヘッドボディに取り付けられると、該ゴルフクラブヘッドボディの重量を配分し直して、該ゴルフクラブヘッドボディの重心を第二の位置に提供し、かつ該ゴルフクラブヘッドボディの重心の該第二の位置を指示する、第二の交換可能な多脚ブリッジ部材を提供する工程であって、多脚ブリッジ部材のそれぞれは、ゴルフクラブヘッドに取り付けられたとき、ゴルフクラブヘッドのヒールおよびトウに対して異なる位置に配置された該点を有する、前記工程、ならびに
該第一の交換可能な多脚ブリッジ部材を取り外す工程、および該第一の多脚ブリッジ部材を該第二の多脚ブリッジ部材と取り替える工程
を含み、
少なくとも一つの多脚ブリッジ部材の取り替えがゴルファーのスイングの少なくとも一つの特性の分析に基づき、かつ該第一および第二の交換可能な多脚ブリッジ部材が互いに、異なるウェイト付け特性を有する、方法。
【発明の詳細な説明】
【技術分野】
【０００１】
開示の分野
本開示はゴルフクラブおよびゴルフクラブヘッドに関する。本開示の特定の例示的局面は、ゴルフクラブヘッドの特定の領域を指示するためのインジケータを有するゴルフクラブおよびゴルフクラブヘッドに関する。
【背景技術】
【０００２】
背景
ゴルフは、多種多様なプレーヤ―異なる性別ならびに劇的に異なる年齢および／または熟練度レベルのプレーヤによって楽しまれている。ゴルフは、そのような多様なプレーヤの集まりがゴルフイベントで互いに直接競いながらいっしょにプレーし（たとえば、ハンデ付きのスコア、異なるティーボックスを使用して、チームフォーマットで、など）、なおもゴルフのラウンドまたは競技を楽しむことができるという点で、スポーツの世界ではいくぶんユニークである。これらの要因が、テレビにおけるゴルフ番組（たとえばゴルフトーナメント、ゴルフニュース、ゴルフ史および／または他のゴルフ番組）の増加および著名なゴルフスーパースターの出現と相まって、少なくとも部分的に、近年、米国および世界中でのゴルフ人気を高めた。
【０００３】
ゴルファーは、すべての熟練度レベルにおいて、パフォーマンスを改善し、ゴルフスコアを良くし、その次のパフォーマンス「レベル」に到達しようとする。すべてのタイプのゴルフ用具の製造者はこれらの要求に応え、近年、業界は、ゴルフ用具における劇的な変化および改良を目撃した。たとえば、今や、広い範囲の異なるゴルフボールモデルが利用可能であり、ボールは、特定のスイング速度および／または他のプレーヤ特性もしくは好みを補うように設計されており、たとえば、一部のボールは、より遠くおよび／またはよりまっすぐに飛ぶように設計されており、一部のボールは、より高いまたはよりフラットな弾道を提供するように設計されており、一部のボールは、より多くのスピン、コントロールおよび／または感触（特にグリーン周りの）を提供するように設計されており、一部のボールは、より速いまたはより遅いスイング速度のために設計されている、などである。また、ゴルフのスコアを良くするのに役立つことを約束する数多くのスイング補助具および／または補助教具が市販されている。
【０００４】
プレー中にゴルフボールを動かす唯一の道具であることから、ゴルフクラブもまた、近年、多大な技術的研究および進歩の対象であった。たとえば、市場は、近年、パター設計、ゴルフクラブヘッド設計、シャフトおよびグリップにおける劇的な変化および改良を見てきた。さらには、ゴルフクラブの様々な要素および／または特性ならびにゴルフボールの特性を特定のユーザのスイング特徴または特性により良く適合させようとして、他の技術的進歩が達成されてきた（たとえばクラブフィッティング技術、ボール打ち出し角計測技術、ボールスピン速度など）。
【０００５】
近年、この業界は、ゴルフ用具に対する劇的な変化および改良を目撃してきたが、当技術分野において、ゴルフクラブ技術におけるさらなる進歩の余地がある。
【発明の概要】
【０００６】
開示の概要
以下、本開示およびその様々な局面の基本的理解を提供するために、本開示の局面の概要を提示する。この概要は、本開示の範囲を何らかの方法で限定することを意図したものではなく、単に、以下のより詳細な説明のための概観および背景を提供する。
【０００７】
本開示の少なくともいくつかの例示的局面のゴルフクラブヘッドは、打球面と、打球面とは反対側の後面（たとえば、打球面から後方に、ゴルフクラブヘッドボディの周辺区域の少なくとも一部分に沿って延びる周囲ウェイト付け部材を含む）とを有するアイアンタイプゴルフクラブヘッドボディを含む。また、ゴルフクラブヘッドボディはインジケータを含み得る。本開示のいくつかの局面にしたがって、インジケータは多脚ブリッジ部材であり得る。さらには、本開示の少なくともいくつかの例にしたがって、多脚ブリッジ部材はゴルフクラブヘッドの重心の正確な位置を指示し得る。
【０００８】
本開示の少なくともいくつかの例のゴルフクラブヘッドのセットは、特定のクラブヘッドボディに依存して変化する重心を有するクラブヘッドボディを含み得る。このようなゴルフクラブヘッドボディにおいて、多脚ブリッジ部材は、各クラブヘッドボディの重心の位置を指示するために異なる形状であり得る。
【０００９】
本開示のいくつかの局面にしたがって、異なる形状の多脚ブリッジ部材を使用して、クラブヘッドボディの重心を変化させることができる。たとえば、多脚ブリッジ部材のウェイト付け特性（重量、密度など）により、多脚ブリッジ部材の形状がゴルフクラブヘッドボディの重量を配分し直し、それによって、クラブヘッドボディの重心を移動させる。したがって、多脚ブリッジ部材は、クラブヘッドの重心の特徴を制御するために選択的に形成されることができる。
【００１０】
本開示のさらなる局面は、たとえば上記タイプのゴルフクラブヘッドを含むゴルフクラブ構造に関する。このようなゴルフクラブ構造はさらに、クラブヘッドに取り付けられた（場合によっては、別個のホーゼル部材、あるいは、クラブヘッドもしくはシャフトの一つまたは複数の一体部分として提供されたホーゼル部材を介して）シャフト部材、シャフト部材に取り付けられたグリップまたはハンドル部材、さらなるウェイト部材などの一つまたは複数を含み得る。
【００１１】
本開示のなおさらなる局面は、たとえば上記タイプのゴルフクラブヘッドおよびゴルフクラブ構造を製造する方法に関する。このような方法は、たとえば、（a）上記様々なタイプのゴルフクラブヘッドを、たとえばゴルフクラブヘッドボディを製造または他のやり方で構築すること、ゴルフクラブヘッドボディを別の供給源から得ることなどによって提供する工程、および（b）シャフト部材をゴルフクラブヘッドと係合させる工程を含むことができる。また、グリップ部材をシャフト部材と係合させる工程、クラブヘッドボディ仕上げ工程などの他の工程をこれらの方法に含めてもよい。
[本発明1001]
打球面と、該打球面とは反対側の後面とを含むアイアンタイプゴルフクラブヘッドボディ、および
該ゴルフクラブヘッドボディの重心の位置を指示する多脚ブリッジ部材
を含む、ゴルフクラブヘッド。
[本発明1002]
打球面から後方に、ゴルフクラブヘッドボディの周辺区域の少なくとも一部分に沿って延びる周囲ウェイト付け部材をさらに含み、
多脚ブリッジ部材が該周囲ウェイト付け部材に取り付けられている、本発明1001のゴルフクラブヘッド。
[本発明1003]
多脚ブリッジ部材が周囲ウェイト付け部材の一部として形成されている、本発明1001のゴルフクラブヘッド。
[本発明1004]
多脚ブリッジ部材が、ゴルフクラブヘッドボディの後方部分中のキャビティを横切って延びる、本発明1002のゴルフクラブヘッド。
[本発明1005]
多脚ブリッジ部材が、ゴルフクラブヘッドボディのフェースから離れるように周囲ウェイト付け部材から延び、かつ該ゴルフクラブヘッドボディの該フェースの後面に接しない、本発明1002のゴルフクラブヘッド。
[本発明1006]
多脚ブリッジ部材が、
周囲ウェイト付け部材から、互いに集まる点まで延びる複数の脚部
を有する、本発明1002のゴルフクラブヘッド。
[本発明1007]
ゴルフクラブヘッドボディがソール部分を含み、かつ
該ソール部分が地面と接する場合に、多脚ブリッジ部材の脚部が集まる点が、該クラブヘッドボディの重心の位置のすぐ上に配置される、本発明1006のゴルフクラブヘッド。
[本発明1008]
ゴルフクラブヘッドボディがソール部分を含み、かつ
該ソール部分が地面と接する場合に、多脚ブリッジ部材の頂点が、該クラブヘッドボディの重心の位置のすぐ上に配置される、本発明1006のゴルフクラブヘッド。
[本発明1009]
ゴルフクラブヘッドボディが、クラウン部分、ソール部分、トウおよびヒールを含み、ならびに
多脚ブリッジ部材が、該クラウン部分から該ソール部分まで延び、かつ該ヒールから該トウまで延びている、本発明1002のゴルフクラブヘッド。
[本発明1010]
多脚ブリッジ部材が、
クラブヘッドボディの周辺から該クラブヘッドボディの中心に向かって延びる複数の脚部
を含む、本発明1002のゴルフクラブヘッド。
[本発明1011]
多脚ブリッジ部材の少なくとも一部分が、周囲ウェイト付け部材の少なくとも一部分の密度よりも高い密度を有する、本発明1002のゴルフクラブヘッド。
[本発明1012]
多脚ブリッジ部材の脚部が、周囲ウェイト付け部材から該脚部が集まる点まで直線状に延びている、本発明1006のゴルフクラブヘッド。
[本発明1013]
多脚ブリッジ部材の脚部が、周囲ウェイト付け部材から該脚部が集まる点まで延び、
さらに、該多脚ブリッジ部材の該脚部の少なくとも一つがカーブして、該周囲ウェイト付け部材から該脚部が集まる点まで直線状には延びない、本発明1006のゴルフクラブヘッド。
[本発明1014]
ゴルフクラブヘッドボディを有する少なくとも二本のアイアンタイプゴルフクラブを含むアイアンタイプゴルフクラブのセットであって、
各ゴルフクラブヘッドボディが、異なる重心を有し、かつ各ゴルフクラブヘッドボディの特定の重心を指示する多脚ブリッジ部材を含む、アイアンタイプゴルフクラブのセット。
[本発明1015]
クラブヘッドボディが、ホーゼル、トウおよびヒールを含み、ならびに
クラブヘッドボディのセットの中で比較的低いロフト度を有するクラブヘッドボディが、トウよりもホーゼルに近い重心を有する、本発明1014のアイアンタイプゴルフクラブのセット。
[本発明1016]
クラブヘッドボディのセットの中で比較的高いロフト度を有するクラブヘッドボディが、ヒールよりもトウに近い重心を有する、本発明1015のアイアンタイプゴルフクラブのセット。
[本発明1017]
クラブヘッドボディのセットの中で比較的低いロフト度を有するクラブヘッドボディが、ヒールの下寄り部分に重心を有する、本発明1016のアイアンタイプゴルフクラブのセット。
[本発明1018]
クラブヘッドボディのセットの中で比較的高いロフト度を有するクラブヘッドボディが、トウの上寄り部分に重心を有する、本発明1017のアイアンタイプゴルフクラブのセット。
[本発明1019]
多脚ブリッジ部材の形状がゴルフクラブのセット全体にわたって連続的に変化する、本発明1014のアイアンタイプゴルフクラブのセット。
[本発明1020]
多脚ブリッジ部材の形状が連続的に変化して、クラブヘッドボディのセットの中で比較的低いロフト度を有するアイアンの場合のヒールの下寄り部分により近い位置から、該クラブヘッドボディのセットの中で比較的高いロフト度を有するアイアンの場合のトウの上寄り部分により近い位置まで重心を移動させる、本発明1019のアイアンタイプゴルフクラブのセット。
[本発明1021]
各多脚ブリッジ部材が、多脚ブリッジ部材の脚部が集まる点を含み、
該点がクラブヘッドボディの重心の位置を指示する、本発明1020のアイアンタイプゴルフクラブのセット。
[本発明1022]
クラブヘッドボディのセットの中で比較的低いロフト度を有するアイアンの場合のヒールの下寄り部分により近い位置から、該クラブヘッドボディのセットの中で比較的高いロフト度を有するアイアンの場合のトウの上寄り部分により近い位置まで、前記の点が該ゴルフクラブのセット全体にわたって連続的に移動する、本発明1021のアイアンタイプゴルフクラブのセット。
[本発明1023]
少なくとも第一のゴルフクラブヘッドボディが、多脚ブリッジ部材と各ゴルフクラブヘッドとの間に第一の数の接点を有し、かつ
少なくとも第二のゴルフクラブヘッドボディが、多脚ブリッジ部材と各ゴルフクラブヘッドとの間に第二の数の接点を有し、
該第一の数と該第二の数とが異なる、本発明1014のアイアンタイプゴルフクラブのセット。
[本発明1024]
クラブヘッドボディのセットの中で比較的低いロフト度を有するアイアンが、該クラブヘッドボディのセットの中で比較的高いロフト度を有するアイアンよりも少ない数の接点を多脚ブリッジ部材と各ゴルフクラブヘッドとの間に有する、本発明1014のアイアンタイプゴルフクラブのセット。
[本発明1025]
クラブヘッドボディのセットの中で比較的低いロフト度を有するアイアンが、多脚ブリッジ部材と各ゴルフクラブヘッドとの間に五つまたはそれ未満の接点を有し、かつ
該クラブヘッドボディのセットの中で比較的高いロフト度を有するアイアンが、多脚ブリッジ部材と各ゴルフクラブヘッドとの間に六つまたはそれを超える接点を有する、本発明1024のアイアンタイプゴルフクラブのセット。
[本発明1026]
アイアンタイプゴルフクラブのセット中の複数のクラブヘッドボディのそれぞれの重心を選択的に配置する方法であって、
少なくとも二つのゴルフクラブヘッドボディを提供する工程、
異なる形状、異なる重量、異なる密度、異なる重量配分の少なくとも一つを有する多脚ブリッジ部材のそれぞれを、該少なくとも二つのゴルフクラブヘッドボディのそれぞれのために提供する工程、
各クラブヘッドボディが異なる重心を有するように、かつ特定のゴルフクラブヘッドの多脚ブリッジ部材が各重心の位置を指示するように、各多脚ブリッジ部材を各クラブヘッドボディに取り付ける工程
を含む、方法。
[本発明1027]
多脚ブリッジ部材の少なくとも一部分が、周囲ウェイト付け部材の少なくとも一部分の密度よりも高い密度を有する、本発明1026の、アイアンタイプゴルフクラブのセット中の複数のクラブヘッドボディのそれぞれの重心を選択的に配置する方法。
[本発明1028]
多脚ブリッジ部材をクラブヘッドボディに選択的に取り付けて、クラブヘッドボディのセットの中で比較的低いロフト度を有する該クラブヘッドボディに対し、該クラブヘッドボディのトウよりも該クラブヘッドボディのホーゼルに近い重心を提供する工程をさらに含む、本発明1026の、アイアンタイプゴルフクラブのセット中の複数のクラブヘッドボディのそれぞれの重心を選択的に配置する方法。
[本発明1029]
多脚ブリッジ部材をクラブヘッドボディに選択的に取り付けて、クラブヘッドボディのセットの中で比較的高いロフト度を有する該クラブヘッドボディに対し、該クラブヘッドボディのヒールよりも該クラブヘッドボディのトウに近い重心を提供する工程をさらに含む、本発明1026の、アイアンタイプゴルフクラブのセット中の複数のクラブヘッドボディのそれぞれの重心を選択的に配置する方法。
[本発明1030]
多脚ブリッジ部材をクラブヘッドボディに選択的に取り付けて、クラブヘッドボディのセットの中で比較的低いロフト度を有するアイアンの場合の下寄りヒールに近い位置から、該クラブヘッドボディのセットの中で比較的高いロフト度を有するアイアンの場合の上寄りトウに近い位置まで、ゴルフクラブヘッドボディの重心を、ゴルフクラブのセット全体にわたって連続的に移動させる工程をさらに含む、本発明1026の、アイアンタイプゴルフクラブのセット中の複数のクラブヘッドボディのそれぞれの重心を選択的に配置する方法。
[本発明1031]
多脚ブリッジ部材の少なくとも一つを取り外す工程、および
それを、取り替えようとしている該多脚ブリッジ部材とは異なるウェイト付け特性を有する異なる多脚ブリッジ部材と取り替える工程
をさらに含み、
少なくとも一つの多脚ブリッジ部材の取り替えがゴルファーのスイングの少なくとも一つの特性の分析に基づく、本発明1026の、アイアンタイプゴルフクラブのセット中の複数のクラブヘッドボディのそれぞれの重心を選択的に配置する方法。
[本発明1032]
打球面と、該打球面とは反対側の後面と、該打球面から後方に、ゴルフクラブヘッドボディの周辺区域の少なくとも一部分に沿って延びる周囲ウェイト付け部材とを含むアイアンタイプゴルフクラブヘッドボディ、
該ゴルフクラブヘッドボディに取り外し可能に取り付け可能であり、かつ該ゴルフクラブヘッドボディに取り付けられると、該ゴルフクラブヘッドボディの重量を配分し直して、該ゴルフクラブヘッドボディの重心を第一の位置に提供し、かつ該ゴルフクラブヘッドボディの重心の該第一の位置を指示する、第一の交換可能な多脚ブリッジ部材、ならびに
該ゴルフクラブヘッドボディに取り外し可能に取り付け可能であり、かつ該ゴルフクラブヘッドボディに取り付けられると、該ゴルフクラブヘッドボディの重量を配分し直して、該ゴルフクラブヘッドボディの重心を第二の位置に提供し、かつ該ゴルフクラブヘッドボディの重心の該第二の位置を指示する、第二の交換可能な多脚ブリッジ部材
を含み、
該第一および第二の交換可能な多脚ブリッジ部材が互いに、異なる形状、異なる配置または異なるウェイト付け特性を有する、ゴルフクラブヘッド。
[本発明1033]
ゴルフクラブヘッドをフィッティングする方法であって、
打球面と、該打球面とは反対側の後面と、該打球面から後方に、ゴルフクラブヘッドボディの周辺区域の少なくとも一部分に沿って延びる周囲ウェイト付け部材と、該ゴルフクラブヘッドボディに取り外し可能に取り付け可能であり、かつ該ゴルフクラブヘッドボディに取り付けられると、該ゴルフクラブヘッドボディの重量を配分し直して、該ゴルフクラブヘッドボディの重心を第一の位置に提供し、かつ該ゴルフクラブヘッドボディの重心の該第一の位置を指示する第一の交換可能な多脚ブリッジ部材とを含む、アイアンタイプゴルフクラブヘッドボディを提供する工程、
該ゴルフクラブヘッドボディに取り外し可能に取り付け可能であり、かつ該ゴルフクラブヘッドボディに取り付けられると、該ゴルフクラブヘッドボディの重量を配分し直して、該ゴルフクラブヘッドボディの重心を第二の位置に提供し、かつ該ゴルフクラブヘッドボディの重心の該第二の位置を指示する、第二の交換可能な多脚ブリッジ部材を提供する工程、ならびに
該第一の交換可能な多脚ブリッジ部材を取り外す工程、および該第一の多脚ブリッジ部材を該第二の多脚ブリッジ部材と取り替える工程
を含み、
少なくとも一つの多脚ブリッジ部材の取り替えがゴルファーのスイングの少なくとも一つの特性の分析に基づき、かつ該第一および第二の交換可能な多脚ブリッジ部材が互いに、異なるウェイト付け特性を有する、方法。
【図面の簡単な説明】
【００１２】
本開示は、添付図面において例として説明されるが、それらに限定されない。全図を通じて同じ参照番号が同種の要素を示す。
【００１３】
【図１】本開示の少なくともいくつかの例のゴルフクラブ構造の特徴を大まかに示す。
【図２Ａ】本開示の少なくともいくつかの例のゴルフクラブヘッド構造を示す。
【図２Ｂ】本開示の少なくともいくつかの例のゴルフクラブヘッド構造を示す。
【図２Ｃ】本開示の少なくともいくつかの例のゴルフクラブヘッド構造を示す。
【図２Ｄ】本開示の例のゴルフクラブのセットにおけるクラブヘッドボディの多脚ブリッジ部材位置の中心の漸変を概略的に示す。
【図２Ｅ】本開示の少なくともいくつかの例のゴルフクラブヘッド構造のヒール端斜視図を示す。
【図２Ｆ】図2Aに示すゴルフクラブヘッド構造の断面図を示す。
【図３】本開示の少なくともいくつかの例のゴルフクラブヘッド構造を示す。
【図４】本開示の少なくともいくつかの例のゴルフクラブヘッド構造を示す。
【００１４】
読者は、これらの図面に示される様々なパーツが必ずしも原寸に比例して描かれてはいないことに留意されたい。
【発明を実施するための形態】
【００１５】
詳細な説明
以下の詳細な説明および添付図面が本開示の例のゴルフクラブヘッドおよびゴルフクラブの特徴を開示する。
【００１６】
I. 本開示の例示的ゴルフクラブヘッド、ゴルフクラブおよび方法の概説
上記のように、本開示の局面はアイアンタイプゴルフクラブヘッドおよびゴルフクラブに関する。本開示の少なくともいくつかの例示的局面のアイアンタイプゴルフクラブヘッドは、（a）アイアンタイプゴルフクラブヘッドボディ、（b）打球面、（c）場合によっては、打球面から後方に、ゴルフクラブヘッドボディの周辺区域の少なくとも一部分に沿って延びる周囲ウェイト付け部材を含む、打球面とは反対側の後面、および（d）ゴルフクラブヘッドボディの特定の領域を指示する多脚ブリッジ部材を含み得る。
【００１７】
本開示の局面にしたがって、多脚ブリッジ部材はゴルフクラブヘッドボディの重心の位置を指示し得る。したがって、本開示のそのような局面にしたがって、各ゴルフクラブヘッドボディが異なる重心を有するゴルフクラブのセットにおいて、各ゴルフクラブヘッドボディの多脚ブリッジ部材は、セット中の各特定のゴルフクラブヘッドボディの重心の異なる位置を反映するために、異なる（たとえば異なる形状である）ことがある。たとえば、ピッチングウェッジのゴルフクラブヘッドボディの重心は5番アイアンのゴルフクラブヘッドボディの重心とは異なっていてもよく、ピッチングウェッジの多脚ブリッジ部材は、5番アイアン上の多脚ブリッジ部材によって指示される位置とは異なる位置を指示する。
【００１８】
本開示の局面にしたがって、多脚ブリッジ部材そのものがゴルフクラブヘッドボディの重心の位置に影響し得る。たとえば、多脚ブリッジ部材の重量がゴルフクラブヘッドボディの重心の位置に影響してもよい。さらには、多脚ブリッジ部材は、クラブヘッドボディの残り部分に対して異なる重量、異なる密度、異なる重量配分および／または異なる他のウェイト付け特性を有してもよい。したがって、本開示のそのような局面にしたがって、多脚ブリッジ部材は、クラブヘッドボディの重心を変化させるための形状を有してもよい。換言するならば、ゴルフクラブヘッドボディの特定の重心を提供するために、多脚ブリッジ部材の形状を制御することができる。以下に記載するように、ゴルフクラブヘッドボディの特定の重心を提供することは有利であることができる。
【００１９】
本開示のいくつかの局面にしたがって、「ロング」アイアンタイプゴルフクラブ（すなわち、相対的に低いロフト度を有するアイアン、たとえば3番アイアン）における多脚ブリッジ部材は、クラブヘッドボディのヒールにより近い（すなわちホーゼルに近い）ゴルフクラブヘッドボディの重心を提供するための形状を有し得る。そのような構成は、ホーゼルからゴルフクラブヘッドボディの重心までの距離を減らす。重心がホーゼルにより近いため、ゴルファーは、ゴルフクラブヘッドボディをより速く、より容易に回転させることができる（たとえば、開いたクラブフェース位置から閉じたクラブフェース位置まで）。したがって、そのような構成は、ゴルファーがゴルフボールに「ドロー」弾道を付与するのを支援することができる。「ドロー」とは、ボールが打たれた側とは反対の方向にボールをカーブさせるゴルフショットである。たとえば、右利きのゴルファーの場合、ゴルフボールは「右から左」の弾道を示す。「ドロー」の場合のボールの飛びは、バックスピンがより少なく、したがって、ボールは、ひとたび着地すると、より遠く転がる傾向にある。また、「ドロー」は、より低いボールの飛びを示す傾向にある。「ドロー」のこれらの局面（すなわち、より少ないバックスピン、より遠くまでのロールおよびより低いボールの飛び）は、ゴルファーによって打たれたときゴルフボールが移動する距離を増す傾向にある。したがって、ゴルフクラブヘッドボディの重心をヒールの近くに提供することは、ゴルフショットの距離を増すことができ、それが、「ロング」アイアンにおいて特に役立ち得る。
【００２０】
本開示のいくつかの他の局面にしたがって、「ショート」アイアンタイプゴルフクラブ（すなわち、相対的に高いロフト度を有するアイアン、たとえば9番アイアン、ウェッジなど）における多脚ブリッジ部材は、クラブヘッドボディのトウにより近いゴルフクラブヘッドボディの重心を提供するための形状を有し得る。そのような構成は、ホーゼルからゴルフクラブヘッドボディの重心までの距離を増す。重心がよりホーゼルから離れているため、ゴルファーは、ゴルフクラブヘッドボディをそれほど速く、または容易に回転させることができない（たとえば、開いたクラブフェース位置から閉じたクラブフェース位置まで）。したがって、ゴルフショットの安定性を高め得る。したがって、そのような構成は、ゴルファーがゴルフボールに「フェード」弾道を付与するのを支援することができる。「フェード」とは、ボールが打たれた側に一致する方向にゴルファーがボールをカーブさせるゴルフショットである。たとえば、右利きのゴルファーの場合、ゴルフボールは「左から右」の弾道を示す。「フェード」の場合のボールの飛びは、バックスピンがより多く、したがって、ボールは、ひとたび着地すると、あまり転がらない傾向にある。また、「フェード」は、より高いボールの飛びを示す傾向にある。「フェード」のこれらの局面（すなわち、より多いバックスピン、より少ないロールおよびより高いボールの飛び）は、ボールの転がりを止める傾向にある。したがって、ゴルフクラブヘッドボディの重心をトウの近くに提供することは、ボールがグリーンに着地したとき、ゴルファーがボールの転がりを止めるのを支援することができ、それが、「ショート」アイアンにおいて特に役立ち得る。
【００２１】
本開示のいくつかの他の局面にしたがって、「ミドル」アイアンタイプゴルフクラブ（すなわち、相対的に中間的なロフト度を有するアイアン、たとえば5番アイアン）における多脚ブリッジ部材は、クラブヘッドボディのほぼ中心に近いゴルフクラブヘッドボディの重心を提供するための形状を有し得る。そのような構成は、ホーゼルからゴルフクラブヘッドボディの重心までの相対的に中間的な距離を作り出すことができる。重心がホーゼルから相対的に中間的な距離にある（たとえば、ゴルフクラブヘッドボディの中心に近い）ため、「ミドル」アイアンは、上記「ロング」および「ショート」アイアンのそれぞれからのいくらかの特性（たとえば、より遠くまでの距離およびより良好なボールコントロール）を有するが、同じ程度には有しない。
【００２２】
本開示のさらなる局面は、たとえば上記タイプのゴルフクラブヘッドを含むアイアンタイプゴルフクラブ構造に関する。このようなアイアンタイプゴルフクラブ構造はさらに、クラブヘッドに取り付けられた（場合によっては、別個のホーゼル部材またはクラブヘッドおよび／またはシャフトの一つまたは複数の一部として提供されたホーゼル部材を介して）シャフト部材、シャフト部材に取り付けられたグリップまたはハンドル部材、さらなるウェイト部材、メダルなどの一つまたは複数を含み得る。
【００２３】
本開示のなおさらなる局面は、本開示の例のアイアンタイプゴルフクラブヘッドおよびアイアンタイプゴルフクラブ構造を製造する方法に関する。このような方法は、たとえば、以下の工程、すなわち（a）上記様々なタイプのゴルフクラブヘッドボディ（上記様々な構造、特徴および／または配設のいずれかまたはすべてを含む）を、たとえば製造または他のやり方で構築すること、第三者供給源から得ることなどによって提供する工程、（b）シャフト部材をゴルフクラブヘッドボディと係合させる工程、ならびに（c）グリップ部材をシャフト部材と係合させる工程の一つまたは複数を、任意の所望の順序および／または組み合わせで含むことができる。
【００２４】
上記で提供された本開示の様々な例示的局面の概説を提供したところで、以下、本開示のゴルフクラブおよびゴルフクラブヘッド構造の様々な具体例のより詳細な説明を提供する。
【００２５】
II. 本開示の例示的ゴルフクラブヘッド、ゴルフクラブ構造および方法の詳細な説明
以下の詳細な説明および添付図面が本開示の様々な例示的ゴルフクラブおよびゴルフクラブヘッド構造を説明する。同じ参照番号が一つより多い図面に見られる場合、その参照番号は、本明細書および図面において同じまたは類似パーツを指すために一貫して使用される。
【００２６】
以下、図1〜4に示す例示的ゴルフクラブ構造に関して本開示のアイアンタイプゴルフクラブヘッドおよびゴルフクラブ構造のより具体的な例および特徴を詳細に説明する。
【００２７】
図1は、本開示のアイアンタイプゴルフクラブ100および／またはゴルフクラブヘッドボディ102の例を大まかに示す。この例のゴルフクラブ構造100全体は、ゴルフクラブヘッドボディ102に加えて、ホーゼル領域104、ホーゼル領域104に受けられる、および／または挿入されるシャフト部材106ならびにシャフト部材106に取り付けられるグリップまたはハンドル部材（図示せず）を含む。場合によっては、望むならば、外部ホーゼル領域104をなくし、シャフト部材106をヘッド部材102に直接挿入する、および／または他のやり方で取り付けることもできる（たとえば、クラブヘッドボディ102の上部に提供された開口に通して、内部ホーゼル部材（たとえば、クラブヘッドボディ102によって画定された内部チャンバ内に提供された）に通して、など）。ホーゼル部材104は、クラブヘッド構造102の一部として一体に形成してもよく、または別個に形成し、それと係合させてもよい（たとえば、接着剤またはセメントによって、溶接、ろう付け、はんだ付けまたは他の融着技術によって、機械的コネクタなどによって）。本開示を逸脱することなく、従来のホーゼルおよびアイアンタイプクラブヘッド構造へのその組み込みを使用し得る。
【００２８】
本開示を逸脱することなく、シャフト部材106は、当技術分野において公知であり、かつ使用されている従来のやり方を含む任意の適当なまたは所望のやり方でクラブヘッドボディ102に受ける、それと係合させる、および／またはそれに取り付けてもよい。より具体的な例として、シャフト部材106は、ホーゼル部材104を介して、および／または直接、クラブヘッド構造102に、たとえば接着剤、セメント、溶接、はんだ付け、機械的コネクタ（たとえばねじ、保定要素など）によって、クラブヘッドボディ102中に延びるシャフト受けスリーブまたは要素を介してなど、クラブヘッドボディ102と係合させ得る。望むならば、１つのシャフトを別のヘッドへ容易に交換可能とするために、機械的コネクタを使用して取り外し可能なやり方で、シャフト106をヘッド102に接続してもよい。
【００２９】
シャフト部材106はまた、当技術分野において公知であり、かつ使用されている従来の材料を含む任意の適当なまたは所望の材料、たとえばグラファイト系材料、複合材または他の非金属材料、鋼材料（ステンレス鋼を含む）、アルミニウム材料、他の金属合金材料、ポリマー材料、種々の材料の組み合わせなどでできていることができる。また、グリップまたはハンドル部材（図示せず）は、当技術分野において公知であり、かつ使用されている従来のやり方を含む任意の適当なまたは所望のやり方で、たとえば、接着剤またはセメントを使用して、溶接、はんだ付け、ろう付けなどによって、機械的コネクタ（たとえばねじ、保定要素など）を介してなど、シャフト部材106に取り付ける、それと係合させる、および／またはそれから延ばすことができる。別の例として、望むならば、グリップまたはハンドル部材（図示せず）は、シャフト部材106と一体のワンピース構造として一体に形成することもできる。さらには、本開示を逸脱することなく、任意の所望のグリップまたはハンドル部材材料、たとえばゴム材料、皮革材料、中に埋め込まれたコードまたは他の布材料を含むゴムまたは他の材料、ポリマー材料などを使用することもできる。
【００３０】
本開示を逸脱することなく、クラブヘッドボディ102そのものもまた、任意の適当なまたは所望のやり方で、および／または、任意の適当なまたは所望の材料から、たとえば当技術分野において公知であり、かつ使用されている従来の材料から、および／または従来のやり方で構築し得る。たとえば、図1に示す例示的構造において、クラブヘッドボディ102は、打球面部材102a（打球面部材102aと一体に形成された打球面プレート102bまたはフレーム部材に取り付けられて、フレーム部材といっしょになって打球面部材102a全体を構成する打球面プレート102bを含む）を含む。この図示される例のクラブヘッドボディ102はさらに、トップまたはクラウン部分102cおよびソール部分102dを含む。クラブヘッドボディ102および／またはその様々なパーツは、鍛造、鋳造、成形によって、および／または当技術分野において従来型であり、かつ公知である技術およびプロセスを含む他の技術およびプロセスを使用して製造し得る。
【００３１】
本開示を逸脱することなく、多種多様な全体的クラブヘッド構造が可能である。たとえば、望むならば、上記クラブヘッドボディ102の様々な個々のパーツのいくつかまたはすべては、接続される（たとえば、接着剤またはセメントによって、溶接、はんだ付け、ろう付けまたは他の融着技術によって、機械的コネクタなどによって）多数のピースでできていてもよい。様々なパーツ（たとえばトップ部分102c、ソール部分102dなど）は、当技術分野において従来から公知であり、かつ使用されている材料、たとえば軽金属材料を含む金属材料、複合材料、ポリマー材料などを含む任意の所望の材料および様々な材料の組み合わせでできていてもよい。
【００３２】
本開示を逸脱することなく、本開示の例のゴルフクラブヘッド構造102の寸法および／または他の特性は有意に異なっていてもよい。たとえば、たとえばアイアンタイプハイブリッドクラブ、ドライビングアイアン、0〜10番アイアン、ウェッジ（たとえばピッチングウェッジ、ロブウェッジ、ギャップウェッジ、サンドウェッジなど）、チッピングクラブなどを含む任意のアイアンタイプクラブヘッドを提供し得る。
【００３３】
図2A〜Fは、本開示の例のゴルフクラブおよびゴルフクラブヘッドボディに含め得る例示的特徴および構造を示す。図2A〜Cに見られるように、ゴルフクラブヘッドボディ102は周囲ウェイト付け部材202を含み得る。図2E〜Fに示すように、周囲ウェイト付け部材202は、打球面102aから後方にゴルフクラブヘッドボディ102の周辺区域の少なくとも一部分に沿って延びていてもよい。
【００３４】
さらに、本開示の局面にしたがって、ゴルフクラブヘッドボディ102は、ゴルフクラブヘッドボディの重心（参照番号205でシンボル的に指定）を指示する多脚ブリッジ部材204を含み得る。本開示のいくつかの局面にしたがって、図2A〜Cに見られるように、多脚ブリッジ部材204は、ゴルフクラブヘッドボディ102の周囲ウェイト付け部材202の一部分であっても、または周囲ウェイト付け部材202に取り付けられる別個の要素（たとえば、周囲ウェイト付け部材と同じまたは異なる材料でできている）であっても、いずれでもよい。たとえば、多脚ブリッジ部材204が周囲ウェイト付け部材202の一部分である第一の場合には、ゴルフクラブヘッドボディ102の製造中、多脚ブリッジ部材204を含むゴルフクラブヘッドボディを成形することができる（たとえば型の中で）。多脚ブリッジ部材204がゴルフクラブヘッドボディ102に取り付けられる別個の要素である第二の場合には、ゴルフクラブヘッドボディ102の製造中または製造後（たとえばクラブフィッティング中）、多脚ブリッジ部材204をクラブヘッドボディ102に選択的に取り付けることができる。たとえば、多脚ブリッジ部材204は、接着剤、セメント、溶接、はんだ付け、機械的コネクタ（たとえばねじ、保定要素、スナップ嵌めなど）などを含む多様な方法でクラブヘッドボディに取り付けることができる。望むならば、多脚ブリッジ部材204は、多脚ブリッジ部材204どうしの容易な交換を可能にするために、機械的コネクタを使用して取り外し可能なやり方でクラブヘッドボディ102に取り付けてもよい。このような態様においては、工具を使用して、交換可能な多脚ブリッジ部材204をクラブヘッドボディ102に取り付けたり、それから取り外したりし得ることが留意される。いずれの場合でも、多脚ブリッジ部材204のこのような構造は、少なくとも、周囲ウェイト付け部材202の上部、下部または側部に沿って配置されてもよく、周囲ウェイト付け部材202の上部、下部または側部の少なくとも一つの実質的部分を形成してもよい。
【００３５】
図示される態様において、多脚ブリッジ部材204は、クラブヘッドボディ102の後方部分中、キャビティ206の上に延びている。さらに、図示される態様に見られるように、多脚ブリッジ部材204は「星」形を有し、その「星」の「中心」（すなわち、「星」の脚部が集まる点）から六つの脚部が周囲ウェイト付け部材202まで延びている。したがって、図示するように、多脚ブリッジ部材204は、周囲ウェイト付け部材202と六つの接点を有し、さらに、周囲ウェイト付け部材202の上部、下部および側部のそれぞれと接する。したがって、見てとれるように、多脚ブリッジ部材204は、ゴルフクラブヘッドボディ102のヒールからトウまで、かつクラウン部分からソール部分まで延びている。「星」の「中心」（すなわち、脚部が集まる点）はゴルフクラブヘッドボディの重心205の上に配置されている。さらには、本開示の少なくともいくつかの局面にしたがって、脚部が周囲ウェイト付け部材202から「星」の「中心」に向かって延びるにつれ、脚部は、ゴルフクラブヘッドボディ102のフェースから離れるように延びる。このようにして、「星」の「中心」は多脚ブリッジ部材204の頂点を画定する。したがって、そのような態様においては、頂点がゴルフクラブヘッドボディの重心205を識別する。
【００３６】
したがって、本開示のいくつかの局面にしたがって、「星」の「中心」または「星」の頂点はゴルフクラブヘッドボディの重心205の正確な位置を指示する。これは、ゴルファーが、セット中の各ゴルフクラブボディの重心位置を実際に見ることを可能にする（たとえば練習中）。したがって、ゴルファーは、ゴルフクラブを使用するとき（たとえばラウンド中）、ゴルファーはセット中の各ゴルフクラブボディの重心が正しい（すなわち、正しい位置にある）ことを知る。
【００３７】
本開示のいくつかの局面にしたがって、各ゴルフクラブヘッドボディが異なる重心を有するゴルフクラブのセットにおいて、各ゴルフクラブヘッドボディ102の多脚ブリッジ部材204は、セット中の各特定のゴルフクラブヘッドボディの重心の異なる位置を反映するために、異なるもの（たとえば異なる形状の要素）であり得る。たとえば、図2A〜Cは、そのようなゴルフクラブのセットのゴルフクラブヘッドボディを示す。図2Aは、「ロング」アイアン（たとえば3番アイアン）のゴルフクラブヘッドボディ102の例示的態様であり、図2Bは、「ミドル」アイアン（たとえば5番アイアン）のゴルフクラブヘッドボディ102の例示的態様であり、図2Cは、「ショート」アイアン（たとえば9番アイアン）のゴルフクラブヘッドボディ102の例示的態様である。図2A、2Bおよび2Cを比較することによって見てとれるように、異なるゴルフクラブヘッドボディはそれぞれ、異なる重心205を有し、さらに、多脚ブリッジ部材204は、異なるゴルフクラブヘッドボディの各重心205を反映するための形状を有する。図2Dは、本開示の例示的態様のゴルフクラブのセットにおける多脚ブリッジ部材204の「中心」または頂点の位置の全体的漸変を概略的に示す。図2Dに示す概略的描画は、原寸に比例せずその代わりに、単に、本開示の一つの態様の場合の重心の大まかな漸変の感じを読者に与えるために使用されている。図2Dに見られるように、漸変は、2番アイアン（クラブヘッドボディのセット中、比較的低いロフト度を有するクラブヘッドボディの一つ）として開始し、このとき重心205はほぼクラブヘッドボディ102の下寄りヒール端の近くに位置している。漸変は、下寄りヒールからクラブヘッドボディ102の上寄りトウに向かって継続し、最後に、ピッチングウェッジ（クラブヘッドボディのセット中、比較的高いロフト度を有するクラブヘッドボディの一つ）として終了し、このとき重心205は、ほぼクラブヘッドボディ102の上寄りトウ端の近くに位置している。このようにして、各ゴルフクラブヘッドボディの多脚ブリッジ部材204は、ゴルフクラブのセット中の、各特定のゴルフクラブヘッドボディ102の様々な重心を反映する。当然、これは、本開示のゴルフクラブのセットの単に一つの例示的態様であり、本開示のゴルフクラブの他のセットは、他のクラブ、たとえばサンドウェッジ、ロブウェッジ、ハイブリッドアイアンなどを含み得ることが留意される。さらには、本開示を逸脱することなく、他の所望の漸変または配設を提供し得ることが留意される。
【００３８】
本開示のいくつかの局面にしたがって、多脚ブリッジ部材204の形状は、クラブヘッドボディ102の重心の位置を単に指示することに加えて、クラブヘッドボディ102の重心を変更する（たとえば移動させる）ために使用することもできる。たとえば、多脚ブリッジ部材のウェイト付け特性（重量、密度など）により、多脚ブリッジ部材204の形状がゴルフクラブヘッドボディ102の重量を配分し直し（多脚ブリッジ部材204なしのゴルフクラブヘッドボディに比較して）、それによって、クラブヘッドボディの重心205を移動させる。したがって、多脚ブリッジ部材204は、クラブヘッドの重心205の特徴を制御するために選択的に形成され、必要ならば、クラブヘッドボディ102に選択的に取り付けられることができる。
【００３９】
たとえば、多脚ブリッジ部材204の形状に依存して、クラブヘッドボディの重心を垂直方向および水平方向の両方向に調節し得る。たとえば、多脚ブリッジ部材204が含まれるクラブヘッドボディ102に対して、多脚ブリッジ部材204は、「星」の「中心」がゴルフクラブヘッドボディ102のヒール、トウ、クラウン部分、ソール部分などにより近くなるような形状を有することができる。さらには、多脚ブリッジ部材204の様々な部分を変化させてクラブヘッドボディ102の重心に影響することもできる。たとえば、脚部は、所望の重心配置を達成するために、長さが異なる（たとえば、「星」の「中心」に対してトウ側の脚部が「星」の「中心」に対してヒール側の脚部よりも長い）、幅を広められる、または狭められる、より厚くまたはより薄くされる、異なるテーパを有する（すなわち、一端が相対的に幅広であり、他端が比較的狭い）、対称または非対称である（たとえば「星」の「中心」に対して）などができる。代替的または追加的に、「星」の「中心」は、直径をより大きくまたはより小さくする、より厚くまたはより薄くするなどができる。
【００４０】
さらには、本開示のいくつかの局面にしたがって、多脚ブリッジ部材204は、周囲ウェイト付け部材202（または周囲ウェイト付け部材202の少なくともいくつかの部分）またはクラブヘッドボディ102の他の部分とは異なる重量、異なる密度、異なる重量配分および／または異なる他のウェイト付け特性を有し得る。たとえば、多脚ブリッジ部材204は、ゴルフクラブヘッドの他のパーツに比較して重くしてもよい（たとえば、ゴルフクラブヘッドボディ102の他のパーツとは異なる材料で多脚ブリッジ部材204を形成することにより、または、計量された質量、たとえば鉛またはタングステン含有材料などを多脚ブリッジ部材204に含めることにより）。さらには、多脚ブリッジ部材204の様々な区分または部分（たとえば、一つまたは複数の脚部、同じ脚部の異なる部分、「星」の「中心」など）が、互いおよび／または周囲ウェイト付け部材202（または周囲ウェイト付け部材202の少なくともいくつかの部分）またはクラブヘッドボディ102の他の部分とは異なる重量、異なる密度、異なる重量配分および／または異なる他のウェイト付け特性を有してもよい（たとえば、上記のようなやり方でより重くまたはより軽くされることができる）。
【００４１】
それにもかかわらず、本開示のいくつかの他の局面にしたがって、多脚ブリッジ部材204は、周囲ウェイト付け部材202またはゴルフクラブヘッド102の他の部分と同じウェイト付け特性（重量、密度など）を有し得る。さらには、周囲ウェイト付け部材202の様々な区分または部分が、周囲ウェイト付け部材202の他の区分または部分とは異なる重量、異なる密度、異なる重量配分および／または異なる他のウェイト付け特性を有し得ることが留意される。たとえば、周囲ウェイト付け部材202のクラウン部分は、周囲ウェイト付け部材202のソール部分よりも低密度であってもよい。多脚ブリッジ部材204（またはその部分）が周囲ウェイト付け部材202（または、少なくとも、周囲ウェイト付け部材202の部分）またはクラブヘッドボディ102の他の部分と同じ重量、密度、重量配分および／または他のウェイト付け特性を有するのか、異なる重量、密度、重量配分および／または他のウェイト付け特性を有するのかにかかわらず、多脚ブリッジ部材204は、クラブヘッドの重心205の特徴を制御するために選択的に形成されることができる。
【００４２】
たとえば、上述したように、図2A〜Cは、ゴルフクラブヘッドボディのいくつかの異なる形状の多脚ブリッジ部材204の場合の重心205の異なる位置を示す。図2Aに示す配設において、多脚ブリッジ部材204の形状は、「星」の「中心」がクラブヘッドボディの下寄りヒール領域中にあり、したがって、その下寄りヒール領域中で脚部が「星」の「中心」に向かって集まるような形状である。したがって、図示される態様における多脚ブリッジ部材204の形状は、多脚ブリッジ部材204の質量および重量をヒールの近くに集中させる。したがって、この配設の重心205は、クラブヘッドボディのヒールにより近い（たとえば、トウよりもヒールに近い）。対照的に、図2Cに示すように、多脚ブリッジ部材204の形状は、「星」の「中心」がクラブヘッドボディの上寄りトウ領域中にあり、したがって、その上寄りトウ領域中で脚部が「星」の「中心」に向かって集まるような形状である。したがって、図示される態様における多脚ブリッジ部材204の形状は、多脚ブリッジ部材204の質量および重量をトウの近くに集中させる。したがって、この配設の重心は、よりクラブヘッドボディ102のトウに近い（たとえば、ヒールよりもトウに近い）。
【００４３】
クラブヘッドボディの重心205のこれらの様々な位置が、ゴルフクラブによって打たれたゴルフボールの弾道および飛びに影響することができる。したがって、多脚ブリッジ部材204（たとえばウェイト付けされた多脚ブリッジ部材）を選択的に形成することが、所望の特性を有するゴルフクラブのセットを作り出すことができることが理解されよう。たとえば、図2Aの多脚ブリッジ部材の形状は、ホーゼルから重心までの距離を減らす。したがって、そのようなゴルフクラブのセットの「ロング」アイアンは、重心がホーゼルに近いクラブヘッドボディを有する。したがって、上述したように、そのような「ロング」アイアンは、ゴルファーがゴルフボールに「ドロー」弾道を付与するのを支援することができ、したがって、「ドロー」ショットの特性（すなわち、より少ないバックスピン、より遠くまでのロールおよびより低いボールの飛び）を提供し、それが、ゴルファーによって打たれたときゴルフボールが移動する距離を増す傾向を示す。逆に、図2Cの多脚ブリッジ部材の形状は、ホーゼルから重心205までの距離を増す。したがって、そのようなゴルフクラブのセットの「ショート」アイアンは、重心205がトウに近いクラブヘッドボディを有する。したがって、上述したように、そのような「ショート」アイアンは、ゴルファーがゴルフボールに「フェード」弾道を付与するのを支援することができ、したがって、「フェード」ショットの特性（すなわち、より多いバックスピン、より少ないロールおよびより高いボールの飛び）を提供し、それが、高められたボールコントロールを提供する（たとえば、グリーン上でボールを止める）傾向を示す。
【００４４】
上述したように、本開示のゴルフクラブヘッドのウェイト付け特徴は、ゴルフクラブの重心の水平位置（ゴルフクラブがボールアドレス位置で向けられる水平位置）を制御することに限定されない。それどころか、望むならば、本開示のゴルフクラブヘッド構造の少なくともいくつかの例においては、垂直方向の重心もまた選択的に制御することができる。クラブヘッドのクラウン区域における重量を増すと（たとえば、より多くの重量を、よりクラウン部分に近い多脚ブリッジ部材204の脚部に提供することによって）、ゴルフクラブヘッドにおいてより高い重心が生じ、それが、たとえば強風条件におけるプレーの場合、より突き抜けるようなボール弾道を提供して、より「ランニング」なショットを提供したり、および／または通常は過度に高く上がる飛びを生じさせるスイング欠点を補正することに役立ったりすることができる。逆に、クラブヘッドのソール区域における重量を増すと（たとえば、より多くの重量を、ソール部分により近い多脚ブリッジ部材204の脚部に提供することによって）、ゴルフクラブヘッドにおいてより低い重心が生じ、それが、より浮き上がるゴルフボール弾道を提供して、それが、ゴルファーがボールを空中に浮かせることに役立つことができる。
【００４５】
本開示のいくつかの局面にしたがって、多脚ブリッジ部材204は、ゴルフクラブヘッドボディ102のフェースから離れるように延びるように形成されることもできる。たとえば、図2Eに示すように、多脚ブリッジ部材204は、ゴルフクラブヘッドボディ102のフェースから離れるように、ゴルフクラブヘッドボディ102のヒール、トウ、ソール部分およびクラウン部分から延びてもよい。図2Fは、多脚ブリッジ部材204が、ゴルフクラブヘッドボディ102のフェースから離れるように周囲ウェイト付け部材202から（すなわち、図示される態様におけるゴルフクラブヘッドボディ102のヒール、トウ、ソール部分およびクラウン部分から）延び、ゴルフクラブヘッドボディ102のフェースの後面に接しない、そのような態様の断面図を示す。多脚ブリッジ部材204を、ゴルフクラブヘッドボディ102のフェースから離れて延びるように形成することにより、ゴルフクラブヘッドボディ102の重心を移動させてゴルフクラブヘッドボディ102のフェースから離すことができる。したがって、ゴルフクラブヘッドボディ102の重心を中心とする慣性モーメント（MOI）が増す。そのような増大したMOIは、たとえば、ミスヒットに応答してゴルフクラブヘッドボディがねじれる量を減らすことにより、「ミスヒット」（すなわち、ゴルフボールがクラブヘッドボディ102の中心で打たれないショット）に対してより多くの「寛容さ」を提供することができる。多脚ブリッジ部材204を、ゴルフクラブヘッドボディ102のフェースから離れて延び、それによって、より多くの質量、ひいてはクラブヘッドボディ102の重心を移動させてフェースから離すように形成する別の利点は、そのような構成がより高いボールの飛びを生じさせることができることである。
【００４６】
上述したように、多脚ブリッジ部材204がゴルフクラブヘッドボディ102のフェースから離して配置されるそのような態様において、多脚ブリッジ部材204は、クラブヘッド205の重心よりも上の空間中の点に配置された「星」の「中心」または「星」の頂点によって重心を指示する。したがって、図2A〜Cに見られるような角度からまっすぐに見ると、多脚ブリッジ部材204は重心205を指示する。当然、本開示のいくつかの他の局面にしたがって、多脚ブリッジ部材204は、頂点を作り出すことなくキャビティ206をまっすぐ横切って延びるように形成されることもできるし、または多脚ブリッジ部材204は、クラブヘッドボディ102の後面に向かう方向に傾けられることもできる。
【００４７】
したがって、多脚ブリッジ部材204を選択的に形成することがゴルフクラブヘッドの重心に影響するということが理解され得る。このようにして、多脚ブリッジ部材204が特定のやり方で形成されると、多脚ブリッジ部材204は、ゴルフクラブヘッドボディ102の重量配分を変化させて、クラブヘッドボディの重心205を所望の位置に移動させる。さらには、本開示の局面にしたがって、多脚ブリッジ部材204は、ゴルフクラブヘッドボディの重心の正確な位置を指示することができ、また、望むならば、クラブヘッドボディの重心205を所望の位置に移動させるために、選択的に形成され、必要ならば、クラブヘッドボディ102に選択的に取り付けられて、ゴルフクラブヘッドボディ102の重量を移動させることもできるということが理解され得る。
【００４８】
さらに、図2Dに概略的に示される態様は本開示の一つの態様の一つの漸変を示すが、これは、本開示の範囲内で他の漸変または変形が考えられないことを示唆するものではないことが留意される。事実、本開示を逸脱することなく、他の所望の漸変または配設を提供し得る。たとえば、特定のゴルファーのスイングまたは傾向により良く適合するために、クラブフィッティング中、多脚ブリッジ部材204は、異なるやり方で（たとえば、「ロング」アイアンにおけるトウから「ショート」アイアンにおけるヒールまで）クラブヘッドボディ102に選択的に取り付けられることができる。たとえば、クラブフィッティング中、特定のゴルファーのスイング、傾向、特性などを分析するために、クラブフィッタが、スイングおよび／またはスイング中のゴルファーの体の肉眼での観察、スイングおよび／またはスイング中のゴルファーの体の録画および再生（たとえばスローモーションまたはリアルタイム）、スイングの特定の局面、たとえばスイング中（たとえば、テークバック時、ダウンスイング中、インパクト時、フォロースルー中など）のクラブヘッドおよび／またはシャフトの角度、スイング中のクラブヘッドの速度または加速度などの計測、スイングのコンピュータ解析、たとえば上述の計測および録画のコンピュータ解析などをはじめとする、多様な技術を使用することができる。クラブフィッタは、特定のゴルファーのスイングまたは傾向を分析すると（たとえば上記のやり方で）、ゴルファーのスイングの少なくとも一つの特徴の分析に基づいて、特定のゴルファーが所望の結果を達成するのをより良く支援するようなやり方で、多脚ブリッジ部材204をクラブヘッドボディ102に選択的に取り付けることができる。場合によっては、クラブヘッドボディは、上記のような交換可能である多脚ブリッジ部材204を含んでもよい。したがって、クラブフィッタは、特定のゴルファーが所望の結果を達成するのをより良く支援するために、既存の交換可能な多脚ブリッジ部材204を他の交換可能な多脚ブリッジ部材204と交換する、もしくは取り替えてもよい。たとえば、ゴルファーが「スライス」させる傾向を有するならば、クラブフィッタは、より多くの質量をヒールに提供する交換可能な多脚ブリッジ部材204を使用し得る。逆に、ゴルファーがゴルフボールを「フック」させる傾向を有するならば、クラブフィッタは、より多くの質量をトウに提供する交換可能な多脚ブリッジ部材204を使用し得る。
【００４９】
当然、多脚ブリッジ部材は「星」のような形を有する必要はなく、代わりに、多脚ブリッジ部材の他の態様を使用することもできる。事実、本開示の真意を逸脱することなく、多脚ブリッジ部材は多種多様な形態を取り得る。たとえば、本開示のいくつかの局面にしたがって、「星」形の代わりに、「クモ」または「風車」形の多脚ブリッジ部材を使用することができる。
【００５０】
図3A〜Cは、本開示のゴルフクラブおよびゴルフクラブヘッドボディに含め得るような例示的構造を示す。図3A〜Cに見られるように、各ゴルフクラブヘッドボディ102は、周囲ウェイト付け部材302（上記の周囲ウェイト付け部材に類似）および多脚ブリッジ部材インジケータ304を含む。図3A〜Cに示す態様は、上記態様に類似しており、したがって、簡潔さのために、ここでは繰り返さない。しかし、多脚ブリッジ部材インジケータ304の脚部の少なくとも一つが、「クモの脚」または「風車の羽根」に似るカーブした形状を示すということが留意される。本開示のいくつかの局面にしたがって、脚部のカーブは、多脚ブリッジ部材304全体にわたって均一であってもよいし、または、脚部のいくつかまたはすべてが異なる程度のカーブを有してもよい。
【００５１】
さらには、前記態様に関して上述したように、本開示のいくつかの局面にしたがって、各ゴルフクラブヘッドボディが異なる重心を有するゴルフクラブのセットにおいて、各ゴルフクラブヘッドボディ102の多脚ブリッジ部材304は、セット中の各特定のゴルフクラブヘッドボディの重心の異なる位置を反映するために、異なるもの（たとえば異なる形状の要素）であり得る。図3A〜Cは、そのようなゴルフクラブのセットのゴルフクラブヘッドボディを示す。図3Aは、「ロング」アイアン（たとえば3番アイアン）のゴルフクラブヘッドボディ102の例示的態様であり、図3Bは、「ミドル」アイアン（たとえば5番アイアン）のゴルフクラブヘッドボディ102の例示的態様であり、図3Cは、「ショート」アイアン（たとえば9番アイアン）のゴルフクラブヘッドボディ102の例示的態様である。図3A、3Bおよび3Cを比較することによって見てとれるように、異なるゴルフクラブヘッドボディはそれぞれ、異なる重心305を有し、さらに、多脚ブリッジ部材304は、異なるゴルフクラブヘッドボディの各重心305を反映するように形成されている。
【００５２】
図3A、3Bおよび3Cを比較することによって見てとれるように、図示される態様にしたがって、クラブヘッドボディ102の重心305の漸変は、「ロング」アイアンにおける下寄りヒールから「ショート」アイアンにおける上寄りトウまでほぼ連続的に移動する。このようにして、各ゴルフクラブヘッドボディ102の多脚ブリッジ部材304の「クモ」／「風車」の頂点または「中心」が、各特定のゴルフクラブヘッドボディ102の異なる重心を反映する。しかし、前記態様に関して上述したように、これは、本開示の単に一つの態様であり、本開示を逸脱することなく、多脚ブリッジ部材304の他の所望の漸変を提供し得る（たとえば、多脚ブリッジ部材304が反対方向に（すなわち、「ロング」アイアンにおけるトウ端から「ショート」アイアンにおけるヒール端まで）移動してもよい）。したがって、本開示を逸脱することなく、多脚ブリッジ部材304は、ゴルフクラブのセットのゴルフクラブヘッドボディの中または周囲に多様な異なるやり方、向きなどで配置または配設され得ることが理解されよう。
【００５３】
さらに、前記態様に関して上述したように、本開示のいくつかの局面にしたがって、多脚ブリッジ部材304の形状は、クラブヘッドボディ102の重心の位置を単に指示することに加えて、クラブヘッドボディ102の重心を変更する（たとえば移動させる）ために使用することもできる。たとえば、多脚ブリッジ部材のウェイト付け特性（重量、密度など）により、多脚ブリッジ部材304の形状がゴルフクラブヘッドボディ102の重量を配分し直し（多脚ブリッジ部材インジケータ304なしのゴルフクラブヘッドボディに比較して）、それによって、クラブヘッドボディの重心305を移動させる。したがって、多脚ブリッジ部材304は、クラブヘッドの重心305の特徴を制御するために選択的に形成されることができる。
【００５４】
上記態様は、多脚ブリッジ部材がほぼ同じタイプ（たとえば「星形」、「クモ形」など）であるゴルフクラブのセットに関するが、これは、同じセットの中では同じタイプの多脚ブリッジ部材が使用されなければならないことを示唆するものではない。換言するならば、セット全体にわたって使用される多脚ブリッジ部材は、必ずしもタイプが均一である必要はない。事実、本開示のいくつかの局面にしたがって、同じセットの中で様々なタイプの多脚ブリッジ部材が使用される。
【００５５】
図4Aおよび4Bは、本開示のゴルフクラブのセットのゴルフクラブヘッドボディ102に含め得る多脚ブリッジ部材404のそのような例示的構造を示す。図4Aおよび4Bに示す態様は、大部分の点で上記態様に類似しており、したがって、簡潔さのために、ここでは繰り返さない。しかし、上記態様とは対照的に、この例示的態様のゴルフクラブのセットにおいては、特定のクラブヘッドボディに関して多脚ブリッジ部材404がゴルフクラブヘッドボディ102と接する点の数が異なる。
【００５６】
たとえば、図4Aは、「ロング」アイアン（たとえば3番アイアン）のゴルフクラブヘッドボディ102の例示的態様であり、図4Bは、「ショート」アイアン（たとえば9番アイアン）のゴルフクラブヘッドボディ102の例示的態様である。図4Aおよび4Bを比較することによって見てとれるように、図4Aのロングアイアンに示す多脚ブリッジ部材404は、ゴルフクラブヘッドボディ102と五つの接点を有するが、図4Bのショートアイアンに示す多脚ブリッジ部材は、ゴルフクラブヘッドボディ102と六つの接点を有する。ゴルフクラブヘッドボディとの接点におけるこのような変更は、ユーザが様々なタイプのクラブを速やかに区別することを可能にする（たとえば、「ロング」アイアンは脚が五つ、「ショート」アイアンは脚が六つ）。さらには、本開示の局面にしたがって、様々なタイプのクラブヘッドボディではなく個々のクラブヘッドボディを区別するために同じ概念が使用される。換言するならば、個々のクラブヘッドボディのそれぞれが、セット中の他のクラブヘッドボディとは異なる数の接点を有することもできる。同様に、クラブヘッドボディのタイプまたは個々のクラブヘッドボディの間の他の違いを使用することもできる。たとえば、「ロング」アイアンには「星」形の多脚ブリッジ部材204を使用し、一方、「ショート」アイアンには「クモ」形の多脚ブリッジ部材304を使用することができる。
【００５７】
さらには、前記例示的態様に関して上述したように、本開示のいくつかの局面にしたがって、各ゴルフクラブヘッドボディが異なる重心を有するゴルフクラブのセットにおいて、各ゴルフクラブヘッドボディ102の多脚ブリッジ部材404は、セット中の各特定のゴルフクラブヘッドボディの重心の異なる位置を反映するために、異なるもの（たとえば異なる形状の要素）であり得る。図4Aおよび4Bを比較することによって見てとれるように、異なるゴルフクラブヘッドボディ102はそれぞれ、異なる重心405を有し、さらに、多脚ブリッジ部材404は、異なるゴルフクラブヘッドボディ102の各重心405を反映するように配置されている。図4Aおよび4Bを比較することによって見てとれるように、図示される態様にしたがって、クラブヘッドボディ102の重心405の漸変は、「ロング」アイアンにおける下寄りヒールから「ショート」アイアンにおける上寄りトウまでほぼ連続的に移動する。しかし、前記例示的態様に関して上述したように、これは、本開示の単に一つの例示的態様であり、本開示を逸脱することなく、多脚ブリッジ部材404の他の所望の漸変を提供し得る。したがって、本開示を逸脱することなく、多脚ブリッジ部材404は、ゴルフクラブのセットのゴルフクラブヘッドボディの中または周囲に多様な異なるやり方、向きなどで配置または配設され得ることが理解されよう。さらに、本開示の例示的態様のゴルフクラブのセットにおいて、多脚ブリッジ部材404は、様々なタイプのクラブヘッドボディ102を区別することに加えて、セット中の各特定のゴルフクラブヘッドボディの重心の正確な位置も指示することが理解されよう。
【００５８】
さらに、前記態様に関して上述したように、本開示のいくつかの局面にしたがって、多脚ブリッジ部材404の形状は、クラブヘッドボディ102の重心405の位置を単に指示することに加えて、クラブヘッドボディ102の重心を変更する（たとえば移動させる）ために使用することもできる。たとえば、多脚ブリッジ部材インジケータ404のウェイト付け特性（重量、密度など）により、多脚ブリッジ部材404の形状がゴルフクラブヘッドボディ102の重量を配分し直し（多脚ブリッジ部材404なしのゴルフクラブヘッドボディに比較して）、それによって、クラブヘッドボディ102の重心405を移動させる。したがって、多脚ブリッジ部材インジケータ404は、クラブヘッド102の重心405の特徴を制御するために選択的に形成されることができる。したがって、本開示の例示的態様のゴルフクラブのセットにおいて、多脚ブリッジ部材404は、様々なタイプのクラブヘッドボディを区別すること、セット中の各特定のゴルフクラブヘッドボディの重心の正確な位置を指示することの両方に加えて、望むならば、クラブヘッドボディの重心405を所望の位置に移動させるために、選択的に形成されてゴルフクラブヘッドボディ102の重量を移動させることもできる。
【００５９】
たとえばアイアンタイプハイブリッドクラブ、ドライビングアイアン、0〜10番アイアン、ウェッジ（たとえば44〜68度のロフトを有するアイアンタイプクラブ、たとえばピッチングウェッジ、ロブウェッジ、サンドウェッジ、ギャップウェッジなど）、チッピングクラブなどを含む任意のタイプのアイアンタイプゴルフクラブヘッド構造が上記タイプの多脚ブリッジ部材（たとえば204、304、404など）を含み得る。望むならば、本開示の少なくともいくつかの例にしたがって、本開示の例のゴルフクラブおよび／またはゴルフクラブヘッドは、複数のアイアンを含むセット、たとえば、アイアンタイプハイブリッドクラブ、ドライビングアイアン、0〜10番アイアン、ピッチングウェッジ、ロブウェッジ、サンドウェッジ、ギャップウェッジおよび／またはチッピングクラブの二本またはそれ以上を有するセットとして販売または市場売買し得る。セット中に存在する場合、そのセット中のクラブの任意の所望の数が、本開示の多脚ブリッジ部材を有するクラブヘッドを有し得る。いくつかのより具体的な例において、本開示のゴルフクラブのセットは少なくとも3〜9番アイアンおよびピッチングウェッジを含んでもよく、これらのアイアンの少なくとも二本（いくつかの例においては、これらのアイアンのすべて）が、本開示の例の多脚ブリッジ部材を有するクラブヘッドを有する。別の例として、本開示のゴルフクラブのセットは、少なくとも4〜9番アイアン（またはさらに5〜9番アイアンまたは6〜9番アイアン）およびピッチングウェッジならびに場合によってはサンドウェッジおよび／または一本または複数本のアイアンタイプハイブリッドクラブを含み、これらのクラブの少なくとも二本（いくつかの例においては、これらのクラブのすべて）が、本開示の例の多脚ブリッジ部材を有するクラブヘッドを有する。
【００６０】
本開示の例の多脚ブリッジ部材を含むアイアンタイプゴルフクラブヘッドは、図1〜4に示すタイプの周囲ウェイト付けおよび／またはキャビティバックタイプのクラブとの使用に限定されない。それどころか、望むならば、本開示を逸脱することなく、多脚ブリッジ部材は、ブレードタイプアイアンクラブまたは他のアイアンタイプゴルフクラブヘッド構造にも提供され得る（たとえば類似した位置および／または配設において）。ブレードタイプクラブにおいて、多脚ブリッジ部材は、周囲ウェイト部材の部分を形成するのではなく、クラブ背面の上寄り後方部分、クラブ背面の後方部分の下寄り後方部分、クラブソールなどの少なくとも一つに配置され得る。
【００６１】
さらには、多脚ブリッジ部材インジケータは、ゴルフクラブヘッドボディの重心を指示するものとして上述されたが、多脚ブリッジ部材インジケータは、ゴルフクラブヘッドの他の特徴（たとえば「スイートスポット」など）を指示することもできることが留意される。
【００６２】
最後に、上記で詳述した特定の多脚ブリッジ部材は、本開示にしたがって使用し得る多脚ブリッジ部材の単なる例であり、網羅的なリストを構成することを意図したものではないことが留意される。それどころか、これらの説明的な例は、単に、本開示のより良い理解を読者に提供することを意図したものである。
【００６３】
たとえば、本開示のいくつかの局面にしたがって、多脚ブリッジ部材は、多脚ブリッジ部材の「中心」または頂点に開口を含む。「中心」または頂点における開口はクラブヘッドボディの重心を指示する。本開示のいくつかの局面にしたがって、後面（たとえばゴルフクラブヘッドボディ102のフェースの背面）は色を有して、開口を通してゴルファーがその色によって重心をより容易に見ることができるようにすることもできる。たとえば、ゴルフクラブヘッドボディ102のフェースの背面は、派手な色（たとえば赤、黄色、オレンジなど）に塗装してもよい。または、頂点または「中心」上の色付きの点を使用して、クラブヘッドボディの重心をより容易に指示することもできる。さらには、本開示の他の局面にしたがって、多脚ブリッジ部材は、単一ユニットではなくいくつかのピースであり得る。総じて、クラブヘッドボディの重心の各位置を指示するために多脚ブリッジ部材を形成することができる方法は数多くあるが、脚ブリッジ部材が特定のゴルフクラブヘッドボディの重心の位置を反映する限り、それは本開示の範囲内であるとみなされることが理解されよう。
【００６４】
III. 結び
本開示を、添付図面において、多様な例示的構造、特徴、要素ならびに構造、特徴および要素の組み合わせを参照して説明している。しかし、本開示によって果たされる目的は、本開示の範囲を限定することではなく、本開示に関連する様々な特徴および概念の例を提供することである。当業者は、特許請求の範囲によって画定される本開示の範囲を逸脱することなく、上記態様に対して数多くの変形および改変を加え得ることを理解するであろう。たとえば、本開示を逸脱することなく、図1〜4に関連して上記した様々な特徴および概念を個々におよび／または任意の組み合わせで使用し得る。
【図１】
0005709842.tif 000002
【図２Ａ】
0005709842.tif 000003
【図２Ｂ】
0005709842.tif 000004
【図２Ｃ】
0005709842.tif 000005
【図２Ｄ】
0005709842.tif 000006
【図２Ｅ】
0005709842.tif 000007
【図２Ｆ】
0005709842.tif 000008
【図３】
0005709842.tif 000009
【図４】
0005709842.tif 000010